(57)【要約】【課題】けらば等の端部を含む軒先における意匠性及び汎用性を向上し、更に施工作業を迅速に容易く行なえ、しかも軒天井等の化粧まで仕上げることが可能な建築物の軒先構造を提供する。【解決手段】本発明は、最も水下側に位置する外装材２Ｚの更に水下側に軒先外装材１Ａを配すると共に、軒先外装材１Ａの裏面と軒先裏面とのうち何れか一方又は両方を被覆する軒天部材３Ａを配し、軒先外装材１Ａと軒天部材３Ａとが締着具４で一体的に取り付けられていることを特徴とする。【選択図】図１
2015221967.tif 000002
【特許請求の範囲】
【請求項１】
最も水下側に位置する外装材の更に水下側に軒先外装材を配すると共に、該軒先外装材の裏面と軒先裏面とのうち何れか一方又は両方を被覆する軒天部材を配し、
前記軒先外装材と前記軒天部材とが締着具で一体的に取り付けられていることを特徴とする建築物の軒先構造。
【請求項２】
軒先外装材と軒天部材は、流れ方向に交わる方向に介在する連絡部材を介して締着していることを特徴とする請求項１に記載の建築物の軒先構造。
【請求項３】
軒先外装材と軒天部材は、離間状に配置されると共にこの離間空間内には補強材が配されていることを特徴とする請求項１又は２に記載の建築物の軒先構造。
【発明の詳細な説明】
【技術分野】
【０００１】
本発明は、けらば等の端部を含む軒先における意匠性及び汎用性を向上し、更に施工作業を迅速に容易く行なえ、しかも軒天井等の化粧まで仕上げることが可能な建築物の軒先構造に関する。
【背景技術】
【０００２】
建築物の軒先は、躯体や下地材等を覆うように形成され、その施工方法及び構造としては、特許文献１に記載されるように、屋根の下地材等を覆う部材（唐草と称される）を用いるものや、さらに特許文献２に記載の軒先唐草のように、幕板、水切り等の別部材を組み付けるもの等が存在する。
前記特許文献１に記載の唐草は、横葺屋根板の成形部等と係合する係合部と建築物の軒先に取り付けられる取付部と建築物の軒先を覆う垂下部を主構成としている。さらに詳細には、固定部は、躯体あるいは下地材にビス止めするフラット状やＬ字状、あるいは下地材に嵌める略コ字状等で構成され、垂下部は躯体の形状に沿う階段状に形成されている。
一方、前記特許文献２に記載の唐草では、水切りや幕板をビス等の固着具で固定したものが提案されている。さらに、化粧を目的として、壁から支持材を持ち出し、軒天井等を設けることも行われている。
【先行技術文献】
【特許文献】
【０００３】
【特許文献１】特開平５−１５６７６６号公報
【特許文献２】特開平７−３１７２５５号公報
【発明の概要】
【発明が解決しようとする課題】
【０００４】
しかしながら、前記特許文献１に記載の唐草は、躯体の形状に沿わせるため、外観意匠が「階段状」にならざるを得ず、意匠性に乏しいものであった。
一方、前記特許文献２に記載の唐草は、部品点数の増加が避けられず、施工に手間がかかるという問題があった。さらに壁から支持材等を持ち出すため、屋根工事とは別に行なわなければならないという問題もあった。
そして、かかる特許文献１、２に共通していえることとして、軒先における意匠性および汎用性の向上について未だ不十分であった。
【０００５】
そこで、本発明は、けらば等の端部を含む軒先における意匠性及び汎用性を向上し、更に施工作業を迅速に容易く行なえ、しかも軒天井等の化粧まで仕上げることが可能な建築物の軒先構造を提供することを目的とする。
【課題を解決するための手段】
【０００６】
本発明は、上記に鑑み提案されたものであり、最も水下側に位置する外装材の更に水下側に軒先外装材を配すると共に、該軒先外装材の裏面と軒先裏面とのうち何れか一方又は両方を被覆する軒天部材を配し、前記軒先外装材と前記軒天部材とが締着具で一体的に取り付けられていることを特徴とする建築物の軒先構造に関するものである。
なお、「最も水下側に位置する外装材」とは、流れ方向に複数の外装材を配設する横葺きや瓦等をイメージし易いが、流れ方向に連続する縦葺き外装材でもよく、その場合には該縦葺き外装材の水下端よりも更に水下側に軒先外装材を配設することを意味している。
【０００７】
また、本発明は、前記軒先構造において、軒先外装材と軒天部材は、流れ方向に交わる方向に介在する連絡部材を介して締着していることを特徴とする建築物の軒先構造をも提案する。
【０００８】
さらに、本発明は、前記軒先構造において、軒先外装材と軒天部材は、離間状に配置されると共にこの離間空間内には補強材が配されていることを特徴とする建築物の軒先構造をも提案する。
【発明の効果】
【０００９】
本発明の建築物の軒先構造は、最も水下側に位置する外装材の更に水下側に配した軒先外装材と、この軒先外装材の裏面と軒先裏面とのうち何れか一方又は両方を被覆する軒天部材とを締着具で一体的に固定するものであるから、通常の外装構造のように雨仕舞い等を考慮する必要が無い部分において、締着具にて強固に一体化させた構造である。そして、通常の一般屋根に比べて先端がシャープな先鋭な印象を受ける屋根を施工し易く、該軒先により所定領域の雨避けや日光避けの庇（ひさし）として有効利用する空間を形成することも可能である。
このように本発明では、取付施工が容易であって、意匠性に富んだ、デザイン性に優れた軒先構造とすることができ、また該軒先にて形成される空間を有効に利用することもできる。
そのため、けらば等の端部を含む軒先における意匠性及びデザイン性が著しく向上し、また施工作業を迅速に容易に行うことができる。また、軒先端部に取り付けられる部品を共通化して汎用性を高めることが可能もある。
【００１０】
また、軒先外装材と軒天部材とが、流れ方向に交わる方向に介在する連絡部材を介して締着している場合には、この連絡部材が高い接続強度で一体化される軒先外装材と軒天部材をより安定に接続することができる。
【００１１】
さらに、軒先外装材と軒天部材とが、離間状に配置されると共にこの離間空間内に補強材が配されている場合には、前記連絡部材と同様に高い接続強度で一体化される軒先外装材と軒天部材をより安定に接続することができ、前記連絡部材と異なる仕様の部材に代えることもできる。
【図面の簡単な説明】
【００１２】
【図１】（ａ）本発明の第１実施例の建築物の軒先構造を示す側断面図、（ｂ）その正断面図、（ｃ）用いた軒先外装材と軒天部材と締着具と連続材を分解して示す拡大側面図である。
【図２】（ａ）第１実施例における軒先外装材と軒天部材とが流れ方向に交わる方向に介在する連絡部材を介して締着している実施例を示す側断面図、（ｂ）第２実施例の軒先構造を示す側断面図、（ｃ）用いた連絡材の拡大側断面図、（ｄ）用いた軒天部材を分解して示す拡大側面図である。
【図３】第３実施例の軒先構造を示す側断面図である。
【図４】（ａ）第４実施例の軒先構造を示す側断面図、（ｂ）施工された軒先構造を含む外装構造を示す斜視図である。
【図５】（ａ）第５実施例の軒先構造を示す側断面図、（ｂ）その正断面図、（ｃ）用いた軒天部材を示す拡大側面図である。
【発明を実施するための形態】
【００１３】
本発明の建築物の軒先構造は、最も水下側に位置する外装材の更に水下側に軒先外装材を配すると共に、該軒先外装材の裏面と軒先裏面とのうち何れか一方又は両方を被覆する軒天部材を配し、前記軒先外装材と前記軒天部材とが締着具で一体的に取り付けられていることを特徴とする。
【００１４】
本発明の軒先構造は、前述のように最も水下側に位置する外装材の更に水下側に配する軒先外装材と、その裏面側に配する軒天部材と、締着具と、から構成される。
【００１５】
本発明における外装材（＝軒先外装材以外の外装材）は、縦葺き、横葺き、瓦等いかなるものであってもよく、それを取り付ける下地や該下地へ取り付けるための部材や構造についても何等限定するものではない。ここで、前述のように「最も水下側に位置する外装材」とは、流れ方向に複数の外装材を配設する横葺きや瓦等をイメージし易いが、後述する第５実施例に示すように流れ方向に連続する縦葺き外装材でもよく、その場合には該縦葺き外装材の水下端よりも更に水下側に軒先外装材を配設するものである。
また、外装材を例えば前記下地や該下地へ取り付けるための構造等としては、木材製の躯体、鉄骨製の躯体、コンクリート製の躯体などの各種材料で構築される躯体、躯体上に配された垂木等の支持部材又は野地材等の下地材等でもよい。
【００１６】
前記外装材のうち、最も水下側（軒側）に位置する外装材の更に水下側に配設する軒先外装材は、それらの外装材の外観形状やそれらによって構築される外装構造の外観形状に応じた形状でもよいし、それらの形状と全く異なる形状でもよく、形状選択の自由度は極めて大きい。
例えば外装材が水上側から水下側に向かって一定勾配（角度）で傾斜している構造は一般的であって、広く知られているから、最も水下側に位置する外装材の更に水下側に配する軒先外装材にて形成される軒先部分は、一般屋根に比べて先端がシャープな先鋭な印象を受ける屋根となりやすい。更に、このような軒先部分により、所定領域の雨避けや日光避けの庇（ひさし）として有効利用する空間を形成することも可能である。
また、一般の外装材の傾斜勾配と敢えて相違するように例えば異なる傾斜面の面板部、或いは湾曲した面板部を有するように形成してもよく、この場合の軒先外装材は、軒端が跳ね上がったような印象を与える屋根とすることもできるし、逆に軒端が深く垂れ下がったような印象を与える屋根とすることもでき、意匠性を高くすることができる。
【００１７】
この軒先外装材は、どのような形状構成でもよいことを既に説明したが、後述する軒天部材と締着具で一体化するための留付部を有するものである。最もこの留付部としては、締着具を取り付けられる構成であれば、特にその構成を限定するものではない。
【００１８】
また、本発明における軒天部材は、前記軒先外装材の裏面と軒先裏面とのうち何れか一方又は両方を被覆する部材であり、前記軒先外装材と同様に特にその形状構成を限定するものではないが、裏面側の最も水下側の化粧材を指す。それに対し、前記軒先外装材は、表面側の最も水下側の化粧材（兼外装材）ということができる。また、前記軒先外装材と同様に締着具を取り付けるための構成（留付受部）を有する。
一般的に広義の軒天部材とは、軒先裏面を化粧する化粧材の全てを指すものである。即ち本発明における軒天部材は、単一部材であっても、複数部材によって構成されるものでもよく、最も先端（外側）の化粧材が、軒先外装材と一体的に取り付けられていればよいものである。
【００１９】
さらに、本発明における締着具は、前記構成の軒先外装材と前記構成の軒天部材とを一体的に取り付けるものであり、その具体的な構成は特に限定するものではない。一般的にこの締着具を用いて外装構造を構成する部材を取り付ける場合には雨仕舞いが懸念されるが、この軒先構造は、最も水下側に位置する外装材の更に水下側に形成されるものであるから、雨仕舞いの懸念は必要なく、例えば係止等により取付（一体化）に比べて高い強度で一体化することができる。
特に限定するものではないが、前記軒先外装材に形成した留付部と前記軒天部材に形成した留付受部を重合させ、それらに貫通させて締め付け固定して一体化することが好ましい。
【００２０】
前記軒先外装材は、最も水下側に位置する外装材やそれらが構築する外装構造に、少なくとも一部が取付られていることが望ましく、前記軒天部材は、前記外装材が構築する外装構造の裏面側に、少なくとも一部が取付られていることが望ましい。
このように前記軒先外装材も前記軒天部材も、軒先外装材以外の外装材が構築する外装構造に少なくともその一部が取付されていることが望ましいが、この場合の取付とは、他の部材を介しての取付でもよく、それ自体は一体的である必要はなく、例えば係止や重合などをも含むものである。軒先外装材と軒天部材を直接的に締着することにより、両部材が高い強度の連結状態を得ることができる。
【００２１】
また、本発明の軒先構造では、軒先外装材と軒天部材とが、流れ方向に交わる方向に介在する連絡部材を介して締着していてもよいが、この態様における連絡部材は、桁行き方向に連続するプレート状であっても、部分的に介在させるものであってもよい。部分的に介在させる場合には、躯体から延出状に設けてもよい。そして、この連絡部材を用いる態様において、軒先外装材及び軒天部材を安定的に保持（意匠性をも含めて）するためには、連続する連絡部材を用いることが好ましい。
そして、この連絡部材は、軒先外装材の留付部と軒天部材の留付受部との重合部分に介在すればよく、重合部分のみに介在するものであっても、躯体側から持ち出した部材に固定されるものであってもよい。
【００２２】
また、本発明の軒先構造では、軒先外装材と軒天部材とが、離間状に配置されると共にこの離間空間内には補強材が配されていてもよいが、この態様における補強部材は、躯体側から延出した垂木等の外装材支持部材でもよいし、発泡系の断熱材等を充填するものであってもよい。
【実施例】
【００２３】
図１に示す本発明の建築物の軒先構造の第１実施例は、最も水下側に位置する外装材２Ｚの更に水下側に軒先外装材１を配すると共に、該軒先外装材１の裏面と軒先裏面とのうち何れか一方又は両方を被覆する軒天部材３を配し、前記軒先外装材１と前記軒天部材３とが締着具４で一体的に取り付けられていることを特徴とする。
【００２４】
この第１実施例における外装材２は、略ハット状の支持部材（垂木）５ａ上に取り付けられた保持部材（吊子）５ｂにより保持される横葺き外装材であって、面板部２１の水下側に水下成形部２２、水上側に水上成形部２３が形成され、これらの成形部２２，２３は保持部材８を介して係合保持される構成である。なお、最軒端に位置する外装材のみに符号２Ｚを付して他の位置の外装材２と区別した。
【００２５】
また、これらの外装材２にて形成される外装構造は、鋼材等にて形成される縦母屋６の上端に屋根裏面側へ延在する横母屋６ｂ、及び軒先側へ延在する軒先母屋６ｃが一体的に固定され、前記横母屋６ｂ及び軒先母屋６ｃにはＬ字材６ｄを介してＣ形鋼からなる躯体６ｅが桁行き方向に延在するように固定され、該躯体６ｅ上には木毛セメント板等からなる下地材（野地材）６ｆが敷設されている。この下地材６ｆは、図１（ｂ）に示すように流れ方向に長尺な断面略ハット状の支持材６ｇ（及び溝状材６ｈ）を介して連続する下地層を形成し、最も水下側の支持材６ｇｚ及び下地材６ｆｚは水下側へ長く延在している。さらに、この下地層（６ｆ，６ｇ）の上には、流れ方向に長尺な断面略Ｕ字状の断面略ハット状の支持部材７ａが配設され、ビス７ｂにて躯体６ｅに固定され、この支持部材７ａ，７ａ間には断熱材７ｃが配設されている。そのため、ここでは二重の断熱層が形成される構造となっている。そして、支持部材７ａの上面には、吊子である保持部材８が一体的に固定され、該保持部材８に外装材２が取り付けられ、その裏面側にはバックアップ材２０が介装されている。なお、前記支持材６ｇと前記支持部材７ａとは共通する部材を用いている。
【００２６】
一方、前記外装構造の裏面側には、最も水下側の外装材２Ｚの裏面に配置された支持材６ｇｚ及び下地材６ｆｚの裏面を支持する軒先躯体６ｉが配され、前記軒先母屋６ｃの水下側に取り付けられた天井母屋６ｊと一体的に固定されている。なお、これらの符号６ａ〜６ｊで示した母屋や躯体類は、煩雑化を避けるために符号をしていない金具類も含めて一体的に固定されたものである。そして、前記縦母屋６ａの外側には、鋼材類を介して外壁６ｋが取り付けられ、前記天井母屋６ｉの裏面側に前記縦母屋６ａから略水平状に延在するように軒先支持材６ｌが配設され、この軒先支持材６ｌの下面に軒先天井材６ｍが吊設状に配設されている。
【００２７】
前記軒先外装材１は、前述のように最も水下側に位置する外装材２Ｚの更に水下側に配されるものである。
この第１実施例における軒先外装材１は、図１（ｃ）に拡大して示しており、略平坦状の面板部１１の水上部分が前記支持材６ｇｚ及び下地材６ｆｚ上に沿い、この面板部１１の水上端１２が立ち上げられ、連絡材２ｗを介して外装材２Ｚと接続されている。また、前記面板部１１の水下部分１３が締着具４が取り付けられる留付部であり、その水下端１４が折り下げられ、その下端を折り返して係合部１４１を形成している。
【００２８】
前記連絡材２Ｗは、前述のように外装材２Ｚと軒先外装材１とを接続する部材であって、図１（ｃ）に拡大して示しており、前記軒先外装材１に沿わせる横片部２４と前記最も水下側の外装材２Ｚの水下成形部２２の裏面側に沿わせる横片部２５と、前記支持部材７ａ上に沿わせる横片部２６とを有する部材である。
【００２９】
前記軒天部材３は、前記軒先外装材１の裏面と軒先裏面とのうち何れか一方又は両方を被覆する部材である。
この第１実施例における軒天部材３は、図１（ｃ）に拡大して示しており、前記軒先天井材６ｍの裏面側を覆う略Ｌ字状の化粧面部３１と、その水上側に位置して前記軒先天井材６ｍの取付部分に共に固定される固定横片３２と、前記化粧面部３１の水下側に位置して前記軒先外装材１の留付部１３の裏面側に沿わせる留付受部３３と、を備える構成であり、前記留付受部３３の水下端３４を前記軒先外装材１の水下端１４の裏面側に沿わせ、その先端（下端）を水下端１４に設けた係合部１４１に係合させた状態に配置している。
【００３０】
前記締着具４は、前記構成の軒先外装材１と前記構成の軒天部材３とを一体的に取り付けるものであり、この第１実施例ではビスを用いた。
そして、この締着具４は、前記軒先外装材に形成した留付部１３と前記軒天部材３に形成した留付受部３３を重合させ、それらに上方から締着具を貫通させて締め付け固定して一体化するものである。
【００３１】
このような部材により構築されている本発明の建築物の軒先構造は、最も水下側に位置する外装材２Ｚの更に水下側に配した軒先外装材１と、この軒先外装材１の裏面と軒先裏面とのうち何れか一方又は両方を被覆する軒天部材３とを締着具４で一体的に固定するものであるから、通常の外装構造のように雨仕舞い等を考慮する必要が無い部分において、締着具４にて強固に一体化させた構造である。そして、通常の一般屋根に比べて先端がシャープな先鋭な印象を受ける屋根を施工でき、該軒先により所定領域の雨避けや日光避けの庇（ひさし）として有効利用する空間を形成することができる。
このように、取付施工が容易であって、意匠性に富んだ、デザイン性に優れた軒先構造とすることができ、また該軒先にて形成される空間を有効に利用することもできる。
【００３２】
図２（ａ）に示す軒先構造は、前記第１実施例における軒先外装材１と軒天部材３とが流れ方向に交わる方向に介在する連絡部材１５を介して締着している実施例であり、この連絡部材１５を除く符号については全て前記第１実施例と共通である。
この連絡部材１５は、桁行き方向に連続するプレート状であって、この連絡部材１５にて締着具４の締め付けがより安定に保持でき、軒先外装材１と軒天部材３との一体化もより安定に維持されるものとなる。
【００３３】
図２（ｂ）に示す第２実施例の軒先構造は、屋根下地を構成する母屋や躯体等については前記第１実施例と共通するが、形成される外装構造やその水下側に施工される軒先構造については、前記第１実施例とは態様が相違する。
【００３４】
この第２実施例における外装材２IIを用いた外装構造は、前記第１実施例のように断熱層が二重でなく単層であって、躯体６ｅ上には前記下地層（６ｆ，６ｇ）が形成されることなく流れ方向に長尺な断面略Ｕ字状の断面略ハット状の支持部材７ａが配設され、ビス７ｂにて躯体６ｅに固定され、この支持部材７ａ，７ａ間には断熱材７ｃが配設されている。なお、支持部材７ａの水下端には、図２（ｃ）に拡大して示す連絡材２IIｗが配設されており、前記最も水下側の外装材２Ｚを保持する保持部２７と支持部材７ａに固定する固定部２８と水下側に延在して先端が折り下げられた連結部２９とを備え、支持部材７ａの下面に沿わせる固定部分をも有している。
【００３５】
外装材２IIやそれを保持する保持部材８IIについては、前記第１実施例にて用いた部材２，８とはそれぞれ形状等が相違するが、保持部材８IIを介して係合保持される構成である点では共通するものであって、最軒端に位置する外装材のみに符号２IIＺを付して他の位置の外装材２IIと区別した。
【００３６】
この第２実施例における軒先構造を構成する軒先外装材１IIは、略平坦状の面板部１１iiが前記支持部材７ａ及び断熱材７ｃの上面に沿い、その水上端１２iiが最軒端に位置する外装材２IIＺに係合すると共に前記連結材２IIｗの保持部２７に保持され、その水下部分には締着具４IIが取り付けられる留付部１３iiが設けられ、その水下端１４iiを折り下げ流と共にその下端を折り返して係合部１４１iiとしている。
【００３７】
この第２実施例の軒天部材３IIは、図２（ｄ）に拡大して示すように符号３II1−１〜３II−４の複数部材にて構成され、最も水下側に配する部材３II−１は、前記連結材２IIｗの裏面側を覆う化粧面部３１iiの一部と前記連結材２IIｗへの固定部３２iiと前記軒先外装材１IIの留付部１３iiの裏面側に沿わせる留付受部３３iiとその下端を前記係合部１４１iiに係合させる水下端３４iiとを有する。それ以外の部材３II−２〜３II−４の３部材は、それぞれ前記天井母屋６ｊの裏面側を覆う化粧面部３１iiの一部を形成する。
また、この第２実施例の締着具４IIは、頭部が平坦状でなく丸まった形状である。
【００３８】
このような部材により構築されている本発明の第２実施例でも、前記第１実施例の軒先構造と同様に、最も水下側に位置する外装材２IIＺの更に水下側に配した軒先外装材１IIと、この軒先外装材１IIの裏面と軒先裏面とのうち何れか一方又は両方を被覆する軒天部材３IIとを締着具４IIで一体的に固定するものであり、通常の一般屋根に比べて先端がシャープな先鋭な印象を受ける屋根を施工でき、該軒先により所定領域の雨避けや日光避けの庇（ひさし）として有効利用する空間を形成することができる。
【００３９】
図３に示す第３実施例の軒先構造は、屋根下地を構成する母屋や躯体等の一部、及び形成される外装構造や用いた軒先外装材１，締着具４については前記第１実施例と共通するので、図面に同一符号を付して説明を省略するが、軒先母屋６ｃの水下側には、軒先躯体６ｉや天井母屋６ｊ、軒先支持材６ｌ及び軒先天井材６ｍが配されておらず、以下に示す大湾曲面である化粧面部３１iiiを有する軒天部材３IIIを用いた点で前記第１実施例とは相違する。
【００４０】
この第３実施例の軒天部材３IIIは、最も水下側に配した支持材６ｇｚ及び下地材６ｆｚの裏面側から大きく湾曲して外壁６ｋの外側に至る軒先天井材６ｎの裏面側に沿う部分３１iii−１と前記軒先外装材１の裏面側に位置する略水平状部分３１iii−２とから構成される化粧面部３１iiiを有する構成である。また、前記化粧面部３１iiiの水上側に位置して前記外壁６ｋの下方に固定される固定部３２iiiを有し、前記化粧面部３１iiiの水下側については、前記第１実施例と全く同様であり、同一符号を付して説明を省略する。
【００４１】
このような部材により構築されている本発明の第３実施例でも、前記第１実施例や前記第２実施例の軒先構造と同様に、最も水下側に位置する外装材２Ｚの更に水下側に配した軒先外装材１と、この軒先外装材１の裏面と軒先裏面とのうち何れか一方又は両方を被覆する軒天部材３IIIとを締着具４で一体的に固定するものであり、通常の一般屋根に比べて先端がシャープな先鋭な印象を受ける屋根を施工でき、該軒先により所定領域の雨避けや日光避けの庇（ひさし）として有効利用する空間を形成することができる。
【００４２】
図４（ａ）に示す第４実施例の軒先構造は、屋根下地を構成する母屋や躯体等の一部、及び形成される外装構造、また用いた軒先外装材１，締着具４については前記第１実施例と共通するので、図面に同一符号を付して説明を省略するが、最も水下側の支持材６ｇｚ'及び下地材６ｆｚ'が水下側へ長く延在すると共に、軒先支持材６ｌ'が水下側へ長く延在して両者は固定具６ｏにて一体的に固定されている。さらに、軒先天井材６ｍ及び外壁６ｋが配されておらず、大湾曲面である化粧面部３１ivを有する軒天部材３IVを用いた点で前記第１実施例とは相違する。
【００４３】
この第４実施例の軒天部材３IVは、前記第３実施例と異なり単一の部材にて構成されているが、化粧面部３１ivの外観形状は前記第３実施例における化粧面部３１iiiと略同様に大きく湾曲した形状であり、外壁を兼ねる。
【００４４】
このような部材により構築されている本発明の第４実施例でも、前記第１〜第３実施例の軒先構造と同様に、最も水下側に位置する外装材２Ｚの更に水下側に配した軒先外装材１と、この軒先外装材１の裏面と軒先裏面とのうち何れか一方又は両方を被覆する軒天部材３IVとを締着具４で一体的に固定するものであり、通常の一般屋根に比べて先端がシャープな先鋭な印象を受ける屋根を施工でき、該軒先により所定領域の雨避けや日光避けの庇（ひさし）として有効利用する空間を形成することができる。
そして、図４（ｂ）に示す極めて意匠性に富んだ美麗な軒先構造（外装構造）を構築することができる。
【００４５】
図５に示す第５実施例の軒先構造は、外装材９Ａが、流れ方向に連続する長尺材であって、下地材（野地材）６ｆ上に所定間隔にて固定された保持部材９ｂに弾性的に保持される縦葺き外装材であり、図５（ｂ）に示すように略平坦状の面板部９１の左右に上方へ突出する隆状係合部を９３を介して側縁成形部９２，９２'を有する構成であり、各成形部９２，９２'には保持部材９ｂに弾性的に係合する係合部がそれぞれ形成され、一方の側縁成形部９２に他方の側縁成形部９２'がオーバーハング状に重合すると共に係合する構成である。
この外装材９Ａを下地材６ｆに取り付けるための保持部材９ｂは、左右に起立部を有してその内側にビス９ｃを打ち込んで下地材６ｆを貫通して躯体６ｅに固定する固定部が設けられ、略中央に外装材９Ａの各成形部９２，９２'の裏面を支持する支持部分が形成された左右対称の部材であって、長さ方向に間隔を隔てて長さが異なるピース状の保持部材９ｂ'も併用している。
なお、これらの外装材９Ａや保持部材９ｂから構成される外装構造の水下端には、図中に符号９ｄで示される端部納め材が配設されている。また、前記下地材（野地材）６ｆの母屋や躯体等については、前記第１実施例等と同様であるから、図面に同一符号を付して説明を省略する。
【００４６】
この第５実施例に用いられる軒先外装材１Ｖは、前記外装材９Ａの水下端よりも更に水下側に配設されるものであって、略平坦状の面板部１１vの水上部分が、水下側へ延出させた支持材６ｇｚ'及び下地材６ｆｚ'上に沿うように配設され、その水上端１２vがビス止め固定されている。また、前記面板部１１vの水下部分１３vが締着具４が取り付けられる留付部であり、その水下端１４vが折り下げられる構成など前記第１実施例と同様である。
【００４７】
この第５実施例に用いられる軒天部材３Ｖは、前記軒先外装材１Ｖの裏面と軒先裏面とのうち何れか一方又は両方を被覆する部材であり、ここでは軒先天井材６ｍ'とは別部材として説明するが、軒先天井材６ｍ'を含めて軒天部材３Ｖと見なすこともできる。
この第５実施例における軒天部材３Ｖは、図５（ｃ）に拡大して示すように前記軒先外装材１Ｖ及び前記支持材６ｇｚ'及び下地材６ｆｚ'の水下端の裏面側を覆う略Ｌ字状の化粧面部３１vと、その水上側に位置して前記軒先天井材６ｍ'の取付部分に共に固定される固定横片３２vと、前記化粧面部３１vの水下側に位置して前記軒先外装材１Ｖの留付部１３vの裏面側に沿わせる留付受部３３vと、を備える構成であり、前記留付受部３３vの水下端３４vを前記軒先外装材１Ｖの水下端１４vの裏面側に沿わせる構成など前記第１実施例と同様である。  
【００４８】
このような部材により構築されている本発明の第４実施例でも、前記第１〜第３実施例の軒先構造と同様に、最も水下側に位置する外装材２Ｚの更に水下側に配した軒先外装材１と、この軒先外装材１の裏面と軒先裏面とのうち何れか一方又は両方を被覆する軒天部材３IVとを締着具４で一体的に固定するものであり、通常の一般屋根に比べて先端がシャープな先鋭な印象を受ける屋根を施工でき、該軒先により所定領域の雨避けや日光避けの庇（ひさし）として有効利用する空間を形成することができる。
そして、図４（ｂ）に示す極めて意匠性に富んだ美麗な軒先構造（外装構造）を構築することができる。
【符号の説明】
【００４９】
１，１II，１III，１IV，１Ｖ  軒先外装材
１３  留付部
２，２II，９  外装材
２Ｚ，２IIＺ  最も水下側に位置する外装材
３，３II，３III，３IV，３Ｖ  軒天部材
３１，３１ii，３１iii，３１iv，３１v  化粧面部
３３  留付受部
４  締着具
【図１】
2015221967.tif 000003
【図２】
2015221967.tif 000004
【図３】
2015221967.tif 000005
【図４】
2015221967.tif 000006
【図５】
2015221967.tif 000007